(57)【要約】【課題】この発明は羽毛を充填したときに表側布地が膨張して良好なボリューム感が得られるようにした羽毛布団を提供することにある。【解決手段】表側布地と裏側布地との周辺部を縫合して布団本体３を形成するとともに、表側布地と裏側布地との間の空間部を帯状仕切り布６によって複数の空間部７に区画し、各空間部に羽毛を充填して形成される羽毛布団において、上記表側布地には、この表側布地を隆起させるための剛性を有するタック１５，１６，１７，１８が縫製されている。【選択図】　　図２
2004141396.tif 000002
【特許請求の範囲】
【請求項１】
表側布地と裏側布地との周辺部を縫合して布団本体を形成するとともに、表側布地と裏側布地との間の空間部を帯状仕切り布によって複数の空間部に区画し、各空間部に羽毛を充填して形成される羽毛布団において、
上記表側布地には、この表側布地を隆起させるための剛性を有するタックが縫製されていることを特徴とする羽毛布団。
【請求項２】
上記表側布地の上記帯状仕切り布が交差する部分には、複数のひだ部が上記帯状布と位置をずらして放射状に、しかも側面形状が三角形状になるよう折り曲げて縫製された複数のひだ部からなる第１のタックが設けられていることを特徴とする請求項１記載の羽毛布団。
【請求項３】
上記表側布地の周辺部の上記帯状仕切り布の端部に対応する部分には、布団本体の周方向と交差する方向に沿うひだ部からなる第２のタックが形成されていることを特徴とする請求項１記載の羽毛布団。
【請求項４】
上記表側布地の周辺部のコーナ部分には、このコーナの一辺と他辺とに対してそれぞれ交差する方向に沿って一対のひだ部からなる第３のタックが形成されていることを特徴とする請求項１記載の羽毛布団。
【請求項５】
表側布地と裏側布地との周辺部を縫合して形成された布団本体内に羽毛を充填して形成される羽毛布団と、この羽毛布団の下側に重合される下側布団とを有し、これら２枚の布団の周辺部が連結手段によって連結される組み合わせ布団において、
上記羽毛布団の周辺部の上記連結手段によって上記下側布団と連結される部分の表側布地には、この表側布地を隆起させるための剛性を有するタックが縫製されていることを特徴とする組み合わせ布団。
【請求項６】
表側布地と裏側布地との周辺部を縫合して布団本体を形成する工程と、
表側布地と裏側布地との間に形成された空間部に羽毛を充填する工程と、
上記表側布地に、この表側布地を隆起させるための剛性を有するタックを縫製する工程と、
を具備したことを特徴とする羽毛布団の縫製方法。
【請求項７】
上記空間部を帯状仕切り布によって格子状に区画する工程を有し、上記タックを少なくとも上記帯状仕切り布が交差する部分に縫製することを特徴とする請求項６記載の羽毛布団の縫製方法。
【発明の詳細な説明】
【０００１】
【発明の属する技術分野】
この発明は表側布地と裏側布地とを袋状に縫製し、その内部に羽毛が充填される羽毛布団、この羽毛布団の下側に下側布団を重ねた組み合わせ布団及び羽毛布団の縫製方法に関する。
【０００２】
【従来の技術】
一般に、羽毛布団は表側布地と裏側布地とを重ね合せてこれらの周辺部を縫合して袋状の布団本体とし、この布団本体の空間部に羽毛を充填して形成されている。空間部に羽毛を単に充填すると、使用時に羽毛が布団本体の一端部に偏る。そのため、上記空間部を帯状仕切り布（襠布）によって複数に区画することで、羽毛の偏りを防止するようにしている。このような構成の布団はたとえば特許文献１に示されている。
【０００３】
【特許文献１】
実公平５−４２７８８号公報
【０００４】
【発明が解決しようとする課題】
上記布団本体の内部を、上記帯状仕切り布によって複数の空間部に区画した場合、羽毛の偏りを防止することができるため、良好な状態で使用することができる。しかしながら、上記帯状仕切り布によって布団本体の内部を単に区画しただけでは、表側布地の各空間部を形成する部分が下方へたるみ、その表側布地の重さによって空間部に収容された羽毛が圧縮されてしまう。
【０００５】
そのため、羽毛布団は全体としてのボリューム感を持たせることができないということがあるばかりか、表側布地の自重によって空間部内に充填された羽毛が圧縮されることで、羽毛の保気量が少なくなり、保温性や通気性の低下を招くということもある。
【０００６】
この発明は、羽毛を充填した際に、表側布地が下方へたるんで羽毛を圧縮する度合が少なくなるようにした羽毛布団、組み合わせ布団及びその縫製方法を提供することにある。
【０００７】
【課題を解決するための手段】
この発明は、表側布地と裏側布地との周辺部を縫合して布団本体を形成するとともに、表側布地と裏側布地との間の空間部を帯状仕切り布によって複数の空間部に区画し、各空間部に羽毛を充填して形成される羽毛布団において、
上記表側布地には、この表側布地を隆起させるための剛性を有するタックが縫製されていることを特徴とする羽毛布団にある。
【０００８】
上記表側布地の上記帯状仕切り布が交差する部分には、複数のひだ部が上記帯状布と位置をずらして放射状に、しかも側面形状が三角形状になるよう折り曲げて縫製された複数のひだ部からなる第１のタックが設けられていることが好ましい。
【０００９】
上記表側布地の周辺部の上記帯状仕切り布の端部に対応する部分には、布団本体の周方向と交差する方向に沿うひだ部からなる第２のタックが形成されていることが好ましい。
【００１０】
上記表側布地の周辺部のコーナ部分には、このコーナの一辺と他辺とに対してそれぞれ交差する方向に沿って一対のひだ部からなる第３のタックが形成されていることが好ましい。
【００１１】
この発明は、表側布地と裏側布地との周辺部を縫合して形成された布団本体内に羽毛を充填して形成される羽毛布団と、この羽毛布団の下側に重合される下側布団とを有し、これら２枚の布団の周辺部が連結手段によって連結される組み合わせ布団において、
上記羽毛布団の周辺部の上記連結手段によって上記下側布団と連結される部分の表側布地には、この表側布地を隆起させるための剛性を有するタックが縫製されていることを特徴とする組み合わせ布団にある。
【００１２】
この発明は、表側布地と裏側布地との周辺部を縫合して布団本体を形成する工程と、
表側布地と裏側布地との間に形成された空間部に羽毛を充填する工程と、
上記表側布地に、この表側布地を隆起させるための剛性を有するタックを縫製する工程と、
を具備したことを特徴とする羽毛布団の縫製方法にある。
【００１３】
上記空間部を帯状仕切り布によって格子状に区画する工程を有し、上記タックを少なくとも上記帯状仕切り布が交差する部分に縫製することが好ましい。
【００１４】
この発明によれば、布団本体の表側布地に、この表側布地に剛性を付与するタックを形成したから、表側布地が隆起して羽毛布団にボリューム感を持たせることができる。
【００１５】
【発明の実施の形態】
以下、図面を参照しながらこの発明の一実施の形態を説明する。
【００１６】
図１はこの発明の一実施の形態に係る組み合わせ布団を示す。この組み合わせ布団は羽毛布団１と、この羽毛布団１の下側に周辺部を着脱可能に連結して重合された下側布団２とからなる。
【００１７】
上記羽毛布団１は布団本体３を有する。この布団本体３は図３乃至図５に示すように矩形状の表側布地４と、同じく矩形状の裏側布地５とを重合し、これらの周辺部を縫合して袋状に形成されている。この布団本体３の内部には、上端を表側布地４に縫合し、下端を裏側布地５に縫合した帯状仕切り布６が格子状に設けられている。これらの帯状仕切り布６によって、布団本体３の内部は、複数の空間部７に区画形成され、各空間部７には羽毛８（図３，４に示す）が充填される。
【００１８】
上記羽毛布団１の周辺部には、図２に示すように長手側に位置する一対の側辺の帯状仕切り布６の端部に対応する中途部と、上記側辺の両端部（コーナ部）とに、それぞれ第１のホック１１が表側布地４と裏側布地５とを貫通して設けられている。
【００１９】
上記下側布団２の周辺部には図１に示すように第１のホック１１と対応する位置に第２のホック１２が設けられている。そして、羽毛布団１と下側布団２とは、第１のホック１１と第２のホック１２とを係着させることで、着脱可能に連結される。
【００２０】
上記表側布地４にはタックが形成されている。このタックは、図５に概略を示すように、上記表側布地４の上記帯状仕切り布６が交差する部分に形成された第１のタック１５と、上記表側布地４の側辺部の各帯状仕切り布６の端部に対応する位置に形成された第２のタックとしての端部タック１６と、表側布地４の側辺部の長手方向中央部の第１のホック１１に対応する位置に形成された、同じく第２のタックとしての中途部タック１７と、上記表側布地４のコーナ部に対応する位置に形成された第３のタック１８とからなる。
【００２１】
上記第１のタック１５は、図６（ａ）、（ｂ）及び図７（ａ）〜（ｃ）に示すように、上記表側布地４を側面形状が三角形状となるように折り曲げて縫製した４つのひだ部２１を放射状に、しかも各ひだ部２１が帯状仕切り布６と約４５度角度がずれるように形成されている。
【００２２】
図６（ａ）と図７（ａ）は４つのひだ部２１を表側布地４の外面側から見た図であり、図６（ｂ）と図７（ｂ）は内面側から見た図であり、図７（ｃ）は表側布地４を折り曲げてひだ部２１を縫製する前の展開図である。図７（ｃ）において、破線Ｘは折り曲げ線を示し、実線Ｙは縫合線を示す。引き出し線が結ばれた一対の縫合線Ｙは、表側布地４を折り曲げた状態で、図６（ａ）に破線で示すように互いに縫合されることになる。
【００２３】
４つのひだ部２１が放射状に縫製されることで、上記表側布地４の隣り合うひだ部２１の間の部分は緊張される。それによって、図３、図４に示すように、三角形状の各ひだ部２１が頂部を上方に向けて起立するから、ひだ部２１の起立に応じて表側布地４の各空間部７を形成する部分が上方へ隆起することになる。
【００２４】
つまり、表側布地４の帯状仕切り布６が交差する部分に形成された剛性を有する上記ひだ部２１は、表側布地４の隣り合うひだ部２１の間に位置する部分が緊張されることで上方に起立するから、その起立に応じて表側布地４が上方に隆起する。
【００２５】
それによって、空間部７に羽毛８を充填すると、羽毛８が表側布地４によって圧縮され難くなるから、各空間部７のボリューム感を向上させることができるとともに、羽毛８の保気状態を維持することができる。
【００２６】
上記第２のタックの１つである端部タック１６は、図８（ａ）、（ｂ）及び図９（ａ）〜（ｃ）に示すように、上記表側布地４の周辺部に、この表側布地４の周方向と交差する方向に沿って縫製された平面形状が三角形状をなした袋状のひだ部２２からなる。それによって、この端部タック１６は表側布地４のタック１５，１６が形成されていない他の部分よりも大きな剛性を有することになる。
【００２７】
図８（ａ）、図９（ａ）はひだ部２２を表側布地４の外面側から見た図であり、図８（ｂ）、図９（ｂ）は内面側から見た図であり、図９（ｃ）はひだ部２２を折り曲げる前の展開図で、図９（ｃ）において破線Ｘは折り曲げ線を示し、実線Ｙは互いに縫合される縫合線を示す。
【００２８】
この袋状のひだ部２２の表側布地４の内面側に位置する下側の部分２２ａには、帯状仕切り布６の長手方向端部の上端が縫着されている。また、表側布地４の周辺部に位置する、ひだ部２２の端部は裏側布地５の周辺部に縫合される。
【００２９】
ひだ部２２が裏側布地５に縫合されることで、このひだ部２２は布団本体３の周辺部において、三角形の底辺を下にして厚さ方向に起立した状態になる。それいよって、このひだ部２２も、その剛性によって表側布地４を上方へ隆起させて保持することになる。
【００３０】
上記第２のタックの１つである中途部タック１７は、図１０（ａ）、（ｂ）及び図１１（ａ）〜（ｃ）に示すように、第１のホック１１を挟んで表側布地４の周方向に沿って所定間隔で離間するとともに、周方向と交差する方向に縫合された一対の三角形状の第１のひだ部２３及び一対の第１のひだ部２３の先端間に縫製された三角形状の第２のひだ部２４とによって形成されている。これらひだ部２３，２４は、表側布地４のタックが形成されていない他の部分よりも高い剛性を有する。
【００３１】
図１０（ａ）、図１１（ａ）は中途部タック１７を表側布地４の外面から見た図であり、図１０（ｂ）、図１１（ｂ）は表側布地４の内面側から見た図であり、図１１（ｃ）は縫合する前の展開図である。図１１（ｃ）の破線Ｘは折り曲げ線を示し、実線Ｙは縫合線を示す。互いに縫合される縫合線Ｙは、引き出し線を結んで示している。
【００３２】
一対の第１のひだ部２３の端部、つまり表側布地４の周辺部は裏側布地５と縫合される。それによって、一対の第１のひだ部２３は布団本体３の厚さ方向に起立するから、表側布地４の空間部７を形成する部分がこの第１のひだ部２３によって上方へ隆起され、さらに第２のひだ部２４の剛性によってその隆起状態が維持されることになる。
【００３３】
したがって、角部に第１のひだ部２３を有する空間部７に羽毛８を充填すれば、上記中途部タック１６の剛性及び表側布地４を隆起させる作用とによってその空間部７に充填された羽毛８が表側布地４によって圧縮され難くなるから、ボリューム感を持たせることができる。
【００３４】
表側布地４のコーナ部に形成された第３のタック１８は、図１２（ａ）、（ｂ）及び図１３（ａ）〜（ｃ）に示すように、上記コーナ部の一辺と他辺とに、それぞれ第１のホック１１を挟んで一対のひだ部２５を各辺と交差する方向に縫製して形成されている。表側布地４を折り返して縫製された一対のひだ部２５は、表側布地４のタックが形成されていない他の部分よりも大きな剛性を備えることになる。
【００３５】
表側布地４のコーナ部の端部、つまり一対のひだ部２５の端部は裏側布地５と縫合される。それによって、一対のひだ部２５は布団本体３の厚さ方向に沿って起立するから、これらひだ部２５も布団本体３の四隅部に位置する空間部７を形成する表側布地４を隆起させ、上記空間部７にボリューム感を持たせることになる。
【００３６】
このように構成された羽毛布団１によれば、表側布地４の、帯状仕切り布６によって区画された各空間部７の四隅部に対応する箇所には、第１のタック１５、第２のタックとしての端部タック１６と中途部タック１７及び第３のタック１８が適宜組み合わされて空間部７の四隅部に位置する。
【００３７】
つまり、図２に示すように布団本体３を１２個の空間部７に区画すると、中央に位置する２つの空間部７の四隅部にはそれぞれ第１のタック１５が位置し、この２つの空間部７の周囲に位置する１０個の空間部７の四隅部には第１乃至第３のタックが適宜組み合わされて位置することになる。
【００３８】
各タック１５，１６，１７，１８は、表側布地４のタックが形成されていない他の部分に比べて剛性が高いばかりか、布団本体３の厚さ方向に起立するため、表側布地４の各空間部７を形成する部分を上方へ隆起させることになる。
【００３９】
それによって、布団本体３にボリュームを持たせることができるばかりか、各空間部７に充填された羽毛８が表側布地４の重さによって圧縮されることがないから、羽毛８の保気量が少なくなって保温性や通気性が低下するということもない。
【００４０】
図１に示すように、上記羽毛布団１は下側布団２と組み合わせて組み合わせ布団として使用されることがある。その場合、羽毛布団１と下側布団２とを連結するために、羽毛布団１の両側中途部とコーナ部とには第１のホック１１が設けられ、下側布団２には第１のホック１１に係着する第２のホック１２が設けられる。
【００４１】
上記第１のホック１１は、中途部タック１７の一対の第１のひだ部２３の間の部分と、第３のタック１８の一対のひだ部２５の間の部分に設けられている。そのため、第１のホック１１に第２のホック１２を係着しても、上記各ひだ部２３，２５の機能が大きく損なわれることがないから、羽毛布団１を下側布団２と組み合わせて使用しても、羽毛布団１のボリューム感や羽毛８の保気量の低下を招くことがない。
【００４２】
なお、上記一実施の形態では、表地と裏地との間の空間部に帯状仕切り布を設け、この空間部を複数に区画した羽毛布団を挙げたが、表地と裏地との間に帯状仕切り布が設けられていない羽毛布団であっても、その表側布地の中途部や周辺部にタックを形成すれば、表側布地に剛性を持たせて隆起させることが可能となる。
【００４３】
図１４はこの発明の他の実施の形態を示す。この実施の形態は組み合わせ布団として用いられることのない羽毛布団１Ａを示す。この羽毛布団１Ａは、その下面側に下側布団２が連結されることがないから、周辺部には第１のホック１１が設けられていない。
【００４４】
第１のホック１１が設けられていないため、布団本体３のコーナ部を除く周辺部の帯状仕切り布６の端部に対応する位置には、第２のタックとして中途部タック１７は形成されず、端部タック１６だけが形成されることになる。
【００４５】
【発明の効果】
以上のようにこの発明は、表側布地を剛性を有するタックによって隆起させるようにしたため、布団本体にボリューム感を持たせることができるばかりか、羽毛の保気量を確保することができる。
【図面の簡単な説明】
【図１】この発明の一実施の形態に係る組み合わせ布団の斜視図。
【図２】羽毛布団の平面図。
【図３】図２のＡ−Ａ線に沿う断面図。
【図４】図２のＢ−Ｂ線に沿う断面図。
【図５】布団の表地に形成される各タックを説明するための図。
【図６】（ａ）、（ｂ）は第１のタックの斜視図。
【図７】（ａ）〜（ｃ）は第１のタックの平面図。
【図８】（ａ）、（ｂ）は第２のタックである端部タックの斜視図。
【図９】（ａ）〜（ｃ）は第２のタックである端部タックの平面図。
【図１０】（ａ）、（ｂ）は第２のタックである中途部タックの斜視図。
【図１１】（ａ）〜（ｃ）は第２のタックである中途部タックの平面図。
【図１２】（ａ）、（ｂ）は第３のタックでの斜視図。
【図１３】（ａ）〜（ｃ）は第３のタックの平面図。
【図１４】この発明の他の実施の形態を示す羽毛布団の斜視図。
【符号の説明】
１…羽毛布団
２…下側布団
３…布団本体
４…表側布地
５…裏側布地
６…帯状仕切り布
７…空間部
８…羽毛
１５…第１のタック
１６…端部タック（第２のタック）
１７…中途部タック（第２のタック）
１８…第３のタック
【図１】
2004141396.tif 000003
【図２】
2004141396.tif 000004
【図３】
2004141396.tif 000005
【図４】
2004141396.tif 000006
【図５】
2004141396.tif 000007
【図６】
2004141396.tif 000008
【図７】
2004141396.tif 000009
【図８】
2004141396.tif 000010
【図９】
2004141396.tif 000011
【図１０】
2004141396.tif 000012
【図１１】
2004141396.tif 000013
【図１２】
2004141396.tif 000014
【図１３】
2004141396.tif 000015
【図１４】
2004141396.tif 000016